(57)【要約】【課題】所定の変調方式の信号のシンボルタイミングを容易に再生することである。【解決手段】所定の変調方式でＩ成分、Ｑ成分に分割されたバースト信号に対して、所定の変調方式のシンボル回転量に乗するとπの整数倍となる値をシンボル時間に乗じた遅延時間で遅延し、分割されたバースト信号と、遅延されたバースト信号との内積値を内積値信号として演算する内積値演算部４０と、内積値信号の絶対値を絶対値信号として演算する絶対値演算部１５と、絶対値信号の最大値をシンボルタイミング信号として検出する最大値検出部１７と、シンボルタイミング信号に基づいて、Ｉ成分，Ｑ成分の信号のシンボル点を抽出するシンボル点抽出部１８ａ，１８ｂと、抽出されたシンボル点の位相を検出する位相検出部と、所定の変調方式に基づいて、位相が検出されたシンボル点の信号を逆回転して復調する復調部２５と、を備える。【選択図】図１
2008219727.tif 000002
【特許請求の範囲】
【請求項１】
所定の変調方式でＩ成分、Ｑ成分に分割されたバースト信号に対して、前記所定の変調方式のシンボル回転量に乗するとπの整数倍となる値をシンボル時間に乗じた遅延時間で遅延し、前記分割されたバースト信号と、前記遅延されたバースト信号との内積値を演算し内積値信号として出力する内積値演算部と、
前記内積値信号の絶対値を演算し絶対値信号として出力する絶対値演算部と、
前記絶対値信号の最大値を検出しシンボルタイミング信号として出力する最大値検出部と、
前記シンボルタイミング信号に基づいて、前記Ｉ成分の信号のシンボル点を抽出する第１のシンボル点抽出部と、
前記シンボルタイミング信号に基づいて、前記Ｑ成分の信号のシンボル点を抽出する第２のシンボル点抽出部と、
前記抽出されたシンボル点の位相を検出する位相検出部と、
前記所定の変調方式に基づいて、前記位相が検出されたシンボル点の信号を逆回転して復調する復調部と、を備えることを特徴とする復調装置。
【請求項２】
前記所定の通信方式のＩ成分及びＱ成分に分割されて入力されたバースト信号のＩ成分のシンボル間干渉を除去する第１のイコライズフィルタと、
前記分割されたバースト信号のＱ成分のシンボル間干渉を除去する第２のイコライズフィルタと、を備え、
前記内積値演算部は、前記シンボル間干渉が除去されたＩ成分及びＱ成分の信号に対して、前記遅延時間で遅延し、前記シンボル間干渉が除去されたバースト信号と、前記遅延されたバースト信号との内積値を演算し内積値信号として出力し、
前記第１のシンボル点抽出部は、前記シンボルタイミング信号に基づいて、前記シンボル間干渉が除去されたＩ成分の信号のシンボル点を抽出し、
前記第２のシンボル点抽出部は、前記シンボルタイミング信号に基づいて、前記シンボル間干渉が除去されたＱ成分の信号のシンボル点を抽出することを特徴とする請求項１に記載の復調装置。
【請求項３】
前記内積値演算部は、
前記Ｉ成分の信号に対して、前記遅延時間で遅延する第１の遅延部と、
前記Ｑ成分の信号に対して、前記遅延時間で遅延する第２の遅延部と、
前記シンボル間干渉が除去されたＩ成分の信号と、前記時間遅延されたＩ成分の信号と、を乗算して第１の乗算信号として出力する第１の乗算器と、
前記シンボル間干渉が除去されたＱ成分の信号と、前記時間遅延されたＱ成分の信号と、を乗算して第２の乗算値信号として出力する第２の乗算器と、
前記第１及び第２の乗算値信号を加算し前記内積値信号として出力する第１の加算器と、を備えることを特徴とする請求項１又は２に記載の復調装置。
【請求項４】
複数の異なる変調方式のＩ成分及びＱ成分に分割されて入力されたバースト信号のＩ成分のシンボル間干渉を除去する第１のイコライズフィルタと、
前記分割されたバースト信号のＱ成分のシンボル間干渉を除去する第２のイコライズフィルタと、
前記シンボル間干渉が除去されたＩ成分及びＱ成分のトレーニングシーケンスの信号に対して、前記異なる変調方式のシンボル回転量に乗するとπの整数倍となる値をシンボル時間に乗じた遅延時間で遅延し、前記シンボル間干渉が除去されたバースト信号と、前記遅延されたバースト信号との内積値を演算し内積値信号として出力する内積値演算部と、
前記内積値信号の絶対値を演算し絶対値信号として出力する絶対値演算部と、
前記絶対値信号の最大値を検出しシンボルタイミング信号として出力する最大値検出部と、
前記シンボルタイミング信号に基づいて、前記シンボル間干渉が除去されたＩ成分の信号のシンボル点を抽出する第１のシンボル点抽出部と、
前記シンボルタイミング信号に基づいて、前記シンボル間干渉が除去されたＱ成分の信号のシンボル点を抽出する第２のシンボル点抽出部と、
前記抽出されたシンボル点の位相を検出する位相検出部と、
前記検出されたシンボル点の位相に基づいて、変調方式を判定する変調方式判定部と、
前記判定された変調方式に基づいて、前記位相が検出されたシンボル点の信号を復調する復調部と、を備えることを特徴とする復調装置。
【請求項５】
前記内積値演算部は、
前記シンボル間干渉が除去されたＩ成分の信号に対して、前記遅延時間で遅延する第１の遅延部と、
前記シンボル間干渉が除去されたＱ成分の信号に対して、前記遅延時間で遅延する第２の遅延部と、
前記シンボル間干渉が除去されたＩ成分の信号と、前記時間遅延されたＩ成分の信号と、を乗算し第１の乗算値信号として出力する第１の乗算器と、
前記シンボル間干渉が除去されたＱ成分の信号と、前記時間遅延されたＱ成分の信号と、を乗算し第２の乗算値信号として出力する第２の乗算器と、
前記第１及び第２の乗算値信号を加算し前記内積値信号として出力する第１の加算器と、を備えることを特徴とする請求項４に記載の復調装置。
【請求項６】
前記判定された変調方式に基づいて、前記位相が検出されたシンボル点を逆回転するシンボル逆回転部を備え、
前記復調部は、前記判定された変調方式に基づいて、前記逆回転されたシンボル点の信号を復調することを特徴とする請求項４又は５に記載の復調装置。
【請求項７】
前記復調部は、前記判定された変調方式に基づいて、前記位相が検出されたシンボル点を、送信側で付与された位相回転分を考慮して信号を復調することを特徴とする請求項４又は５に記載の復調装置。
【請求項８】
演算の範囲を継続的に移動させながら、シンボル時間離れた前記絶対値信号を使用して移動平均値を演算し移動平均値信号として出力する移動平均値演算部を備え、
前記最大値検出部は、前記移動平均値信号の最大値を検出しシンボルタイミング信号として出力することを特徴とする請求項１から７のいずれか一項に記載の復調装置。
【請求項９】
前記移動平均値演算部は、
前記絶対値信号をシンボル時間遅延する第３の遅延部と、前記絶対値信号及び前記シンボル時間遅延された絶対値信号を加算する第２の加算器と、の組を少なくとも１段備えることを特徴とする請求項８に記載の復調装置。
【発明の詳細な説明】
【技術分野】
【０００１】
本発明は、所定の変調方式の信号を復調可能な復調装置に関する。
【背景技術】
【０００２】
近年、携帯電話等の移動体通信システムにおいて、Ｗ−ＣＤＭＡ（Wideband-Code Division Multiple Access）、ＧＳＭ（Global System for Mobile Communications）、ＥＤＧＥ（Enhanced Data GSM Environment）等の各種の通信方式を用いたシステムが実用化されている。これら通信方式の変調方式としては、ＰＳＫ（Phase Shift Keying）、ＧＭＳＫ（Gaussian filtered MSK）が用いられている。
【０００３】
上記変調方式におけるデジタル復調回路はＰＬＬ（Phase Lock Loop）ループの電圧制御発振器（ＶＣＯ：Voltage Controlled Oscillator）を用いて入力変調波のキャリア再生を行う同期検波回路が用いられていた（例えば、特許文献１参照）。この復調回路はコスタス形復調回路と呼ばれ、入力変調波を互いに９０°位相の異なる発振信号により２つの同期検波器によって検波し、その検波された信号が多値識別判定され、再生データとして出力されると共に、上記検波信号の配置が正規位置よりずれた場合の誤差信号に従って上記ＶＣＯが制御されて位相同期が行われる様になっている。
【０００４】
また、上記変調方式におけるデジタル復調回路としては、変形コスタス形復調回路も用いられている（例えば、特許文献２参照）。変形コスタス形復調回路において、入力端子より入力された被変調波から、第１の乗算器、第１のローパスフィルタを介して同相検波出力が得られ、また、第２の乗算器、第２のローパスフィルタを介して直交検波出力が得られる。前記同相検波出力および直交検波出力は、データ再生回路に入力される一方、第３の乗算器に入力される。ここで、検波出力に周波数誤差、あるいは位相誤差がある時、前記第３の乗算器の出力と、クロック再生回路からのタイミング出力とが第４の乗算器で乗積され、ループフィルタを介して誤差信号としてＶＣＯへ入力され、当該ＶＣＯが制御される。それに基づいてＶＣＯより再生搬送波が第１の乗算器と、π／２移相器を介して第２の乗算器に入力される。そして、データ再生回路及びクロック再生回路からそれぞれ復調データ出力、及びこの復調データ出力に同期したタイミングクロックが出力される。
【特許文献１】特開平６−２１６７６９号公報
【特許文献２】特開平９−６９８６１号公報
【発明の開示】
【発明が解決しようとする課題】
【０００５】
しかし、上記従来の復調回路において、シンボル点抽出のタイミング再生を容易に行う要請がある。加えて、従来の復調回路では、複数の変調方式の信号を同一の回路で復調できなかった。信号のシンボル点抽出のタイミングは変調方式によって異なる。このため、複数の変調方式の信号を同一の回路で受信する構成としては、変調方式に応じてパラメータを変更しシンボル点抽出のタイミングを再生する構成が考えられるが、回路が複雑且つ規模が大きくなり、製造コストも高くなるという問題があった。
【０００６】
本発明の課題は、所定の変調方式の信号のシンボルタイミングを容易に再生することである。
【課題を解決するための手段】
【０００７】
上記課題を解決するため、請求項１に記載の発明の復調装置は、
所定の変調方式でＩ成分、Ｑ成分に分割されたバースト信号に対して、前記所定の変調方式のシンボル回転量に乗するとπの整数倍となる値をシンボル時間に乗じた遅延時間で遅延し、前記分割されたバースト信号と、前記遅延されたバースト信号との内積値を演算し内積値信号として出力する内積値演算部と、
前記内積値信号の絶対値を演算し絶対値信号として出力する絶対値演算部と、
前記絶対値信号の最大値を検出しシンボルタイミング信号として出力する最大値検出部と、
前記シンボルタイミング信号に基づいて、前記Ｉ成分の信号のシンボル点を抽出する第１のシンボル点抽出部と、
前記シンボルタイミング信号に基づいて、前記Ｑ成分の信号のシンボル点を抽出する第２のシンボル点抽出部と、
前記抽出されたシンボル点の位相を検出する位相検出部と、
前記所定の変調方式に基づいて、前記位相が検出されたシンボル点の信号を逆回転して復調する復調部と、を備えることを特徴とする。
【０００８】
請求項２に記載の発明は、請求項１に記載の復調装置において、
前記所定の通信方式のＩ成分及びＱ成分に分割されて入力されたバースト信号のＩ成分のシンボル間干渉を除去する第１のイコライズフィルタと、
前記分割されたバースト信号のＱ成分のシンボル間干渉を除去する第２のイコライズフィルタと、を備え、
前記内積値演算部は、前記シンボル間干渉が除去されたＩ成分及びＱ成分の信号に対して、前記遅延時間で遅延し、前記シンボル間干渉が除去されたバースト信号と、前記遅延されたバースト信号との内積値を演算し内積値信号として出力し、
前記第１のシンボル点抽出部は、前記シンボルタイミング信号に基づいて、前記シンボル間干渉が除去されたＩ成分の信号のシンボル点を抽出し、
前記第２のシンボル点抽出部は、前記シンボルタイミング信号に基づいて、前記シンボル間干渉が除去されたＱ成分の信号のシンボル点を抽出することを特徴とする。
【０００９】
請求項３に記載の発明は、請求項１又は２に記載の復調装置において、
前記内積値演算部は、
前記Ｉ成分の信号に対して、前記遅延時間で遅延する第１の遅延部と、
前記Ｑ成分の信号に対して、前記遅延時間で遅延する第２の遅延部と、
前記シンボル間干渉が除去されたＩ成分の信号と、前記時間遅延されたＩ成分の信号と、を乗算して第１の乗算信号として出力する第１の乗算器と、
前記シンボル間干渉が除去されたＱ成分の信号と、前記時間遅延されたＱ成分の信号と、を乗算して第２の乗算値信号として出力する第２の乗算器と、
前記第１及び第２の乗算値信号を加算し前記内積値信号として出力する第１の加算器と、を備えることを特徴とする。
【００１０】
請求項４に記載の発明は、
複数の異なる変調方式のＩ成分及びＱ成分に分割されて入力されたバースト信号のＩ成分のシンボル間干渉を除去する第１のイコライズフィルタと、
前記分割されたバースト信号のＱ成分のシンボル間干渉を除去する第２のイコライズフィルタと、
前記シンボル間干渉が除去されたＩ成分及びＱ成分のトレーニングシーケンスの信号に対して、前記異なる変調方式のシンボル回転量に乗するとπの整数倍となる値をシンボル時間に乗じた遅延時間で遅延し、前記シンボル間干渉が除去されたバースト信号と、前記遅延されたバースト信号との内積値を演算し内積値信号として出力する内積値演算部と、
前記内積値信号の絶対値を演算し絶対値信号として出力する絶対値演算部と、
前記絶対値信号の最大値を検出しシンボルタイミング信号として出力する最大値検出部と、
前記シンボルタイミング信号に基づいて、前記シンボル間干渉が除去されたＩ成分の信号のシンボル点を抽出する第１のシンボル点抽出部と、
前記シンボルタイミング信号に基づいて、前記シンボル間干渉が除去されたＱ成分の信号のシンボル点を抽出する第２のシンボル点抽出部と、
前記抽出されたシンボル点の位相を検出する位相検出部と、
前記検出されたシンボル点の位相に基づいて、変調方式を判定する変調方式判定部と、
前記判定された変調方式に基づいて、前記位相が検出されたシンボル点の信号を復調する復調部と、を備えることを特徴とする。
【００１１】
請求項５に記載の発明は、請求項４に記載の復調装置において、
前記内積値演算部は、
前記シンボル間干渉が除去されたＩ成分の信号に対して、前記遅延時間で遅延する第１の遅延部と、
前記シンボル間干渉が除去されたＱ成分の信号に対して、前記遅延時間で遅延する第２の遅延部と、
前記シンボル間干渉が除去されたＩ成分の信号と、前記時間遅延されたＩ成分の信号と、を乗算し第１の乗算値信号として出力する第１の乗算器と、
前記シンボル間干渉が除去されたＱ成分の信号と、前記時間遅延されたＱ成分の信号と、を乗算し第２の乗算値信号として出力する第２の乗算器と、
前記第１及び第２の乗算値信号を加算し前記内積値信号として出力する第１の加算器と、を備えることを特徴とする。
【００１２】
請求項６に記載の発明は、請求項４又は５に記載の復調装置において、
前記判定された変調方式に基づいて、前記位相が検出されたシンボル点を逆回転するシンボル逆回転部を備え、
前記復調部は、前記判定された変調方式に基づいて、前記逆回転されたシンボル点の信号を復調することを特徴とする。
【００１３】
請求項７に記載の発明は、請求項４又は５に記載の復調装置において、
前記復調部は、前記判定された変調方式に基づいて、前記位相が検出されたシンボル点を、送信側で付与された位相回転分を考慮して信号を復調することを特徴とする。
【００１４】
請求項８に記載の発明は、請求項１から７のいずれか一項に記載の復調装置において、
演算の範囲を継続的に移動させながら、シンボル時間離れた前記絶対値信号を使用して移動平均値を演算し移動平均値信号として出力する移動平均値演算部を備え、
前記最大値検出部は、前記移動平均値信号の最大値を検出しシンボルタイミング信号として出力することを特徴とする。
【００１５】
請求項９に記載の発明は、請求項８に記載の復調装置において、
前記移動平均値演算部は、
前記絶対値信号をシンボル時間遅延する第３の遅延部と、前記絶対値信号及び前記シンボル時間遅延された絶対値信号を加算する第２の加算器と、の組を少なくとも１段備えることを特徴とする。
【発明の効果】
【００１６】
請求項１、２、３に記載の発明によれば、所定の変調方式の信号のシンボルタイミングを容易に再生できる。
【００１７】
請求項４、５、６に記載の発明によれば、複数の異なる変調方式の信号のシンボルタイミングを同一の構成で容易に再生できる。また、シンボル点を確定させてから復調（復号）の処理を行うことができるため、回路規模を削減できる。
【００１８】
請求項７に記載の発明によれば、復調部によりシンボル点の位相回転部を考慮して復調でき、装置構成をより簡単にできる。
【００１９】
請求項８に記載の発明によれば、シンボルタイミングの再生をより正確に行うことができる。
【００２０】
請求項９に記載の発明によれば、移動平均値演算部を簡単に構成できる。
【発明を実施するための最良の形態】
【００２１】
以下、図面を参照して、本発明の第１の実施の形態及びその第１の変形例と、第２の実施の形態及びその第２の変形例と、について順に説明する。但し、発明の範囲は図示例に限定されない。
【００２２】
（第１の実施の形態）
図１〜図５を参照して、本発明に係る第１の実施の形態を説明する。まず、図１及び図２を参照して、本実施の形態の一つの変調方式に対応する復調装置１００の装置構成を説明する。図１に、復調装置１００の内部構成を示す。図２に、移動平均値演算部１６の内部構成を示す。
【００２３】
本実施の形態の復調装置１００は、通信方式がＧＳＭの信号を受信して復調する装置である。ＧＳＭの変調方式はＧＭＳＫ（ＢＰＳＫ）である。
【００２４】
図１に示すように、復調装置１００は、内積値演算部４０と、絶対値演算部１５と、移動平均値演算部１６と、最大値検出部１７と、第１、第２のシンボル点抽出部としてのシンボル点抽出部１８ａ，１８ｂと、位相検出部１９と、復調部２０と、を備えて構成される。内積値演算部４０は、第１、第２の遅延部としての２Ｔ遅延部１２ａ，１２ｂと、第１、第２の乗算器としての乗算器１３ａ，１３ｂと、第１の加算器としての加算器１４と、を備えて構成される。
【００２５】
図２に示すように、移動平均値演算部１６は、第３の遅延部としてのＴ遅延部１６１１〜１６１ｎ（ｎ：１以上の整数）と、第２の加算器としての加算器１６２１〜１６２ｎと、を備えて構成される。
【００２６】
図示しない送信装置により、ＢＰＳＫの変調方式で変調されたデータを含むＧＳＭ方式のバースト信号が送信され、復調装置１００は、送信されたバースト信号を受信する。具体的には、送信されたバースト信号が復調装置１００の図示しないアンテナにより受信され、その受信信号が図示しないチューナによりＩＦ（Intermediate Frequency：中間周波数）に変換される。そして、ＩＦ変換された受信信号が図示しないＡ／Ｄ（Analog to Digital）コンバータによりデジタル信号に変換され、そのデジタル信号が図示しないＩ−Ｑ信号分割部によりＩ成分とＱ成分とに分割される。
【００２７】
内積値演算部４０は、バースト信号の受信信号と、２Ｔ遅延後のバースト信号の受信信号と、の内積値を演算する。２Ｔは、シンボル時間Ｔの２倍の時間である。
【００２８】
２Ｔ遅延部１２ａ，１２ｂは、それぞれ、分割された受信信号のＩ成分、Ｑ成分に２Ｔの遅延を与えて出力する。乗算器１３ａ，１３ｂは、それぞれ、分割された受信信号のＩ成分、Ｑ成分と、２Ｔ遅延部１２ａ，１２ｂから入力された２Ｔ遅延後の受信信号のＩ成分、Ｑ成分と、を乗算し、その乗算値信号を出力する。加算器１４は、乗算器１３ａ，１３ｂから入力された乗算値信号を加算し加算値信号として出力する。絶対値演算部１５は、加算器１４から入力された加算値信号の絶対値を演算し絶対値信号として出力する。
【００２９】
移動平均値演算部１６は、演算の範囲を継続的に移動させながら、シンボル時間Ｔ離れた絶対値を使用して平均演算を行う機能を有する。具体的には、移動平均値演算部１６は、絶対値演算部１５から入力された絶対値信号のシンボル時間Ｔ間隔の移動平均を演算し、移動平均値信号として出力する。さらに具体的には、移動平均値演算部１６において、Ｔ遅延部１６１１は、絶対値演算部１５から入力される絶対値信号をシンボル時間Ｔ遅延して出力する。加算器１６２１は、絶対値演算部１５から入力される絶対値信号と、Ｔ遅延部１６１１から入力されるＴ遅延後の絶対値信号と、を加算して出力する。Ｔ遅延部１６１ｍ（ｍ：２≦ｍ≦ｎを満たす整数）は、Ｔ遅延部１６１（ｍ−１）から入力される絶対値信号をシンボル時間Ｔ遅延して出力する。加算器１６２ｍは、加算器１６２（ｍ−１）から入力される絶対値信号と、遅延部１６１ｍから入力されるｍ・Ｔ遅延後の絶対値信号と、を加算して出力する。このようにして、加算器１６２ｎは、加算値を移動平均値信号として出力する。
【００３０】
最大値検出部１７は、移動平均値演算部１６から入力された移動平均値信号のうちバースト信号の最大値のタイミングを取得し、シンボル点抽出のタイミング信号として出力する。シンボル点抽出部１８ａ，１８ｂは、それぞれ、最大値検出部１７から入力されたシンボル点抽出のタイミング信号に基づいて、受信信号のＩ成分、Ｑ成分のシンボル点を抽出する。
【００３１】
位相検出部１９は、シンボル点抽出部１８ａ，１８ｂから入力されるシンボル点の位相を検出して出力する。
【００３２】
復調部２０は、ＧＭＳＫ（ＢＰＳＫ）の変調方式に基づいて、位相検出部１９から入力されるシンボル点を、位相回転分を考慮して復調（復号）してデータ信号を取得して出力する。
【００３３】
次いで、図３（ａ）及び図４（ａ），（ｂ）を参照してＧＭＳＫ（ＢＰＳＫ）のバースト信号を説明する。図３（ａ）に、ＢＰＳＫ方式のコンスタレーションを示す。図４（ａ）に、バースト信号３０のフォーマット形式の構成を示す。図４（ｂ）に、ＢＰＳＫ方式のトレーニングシーケンスのパターンを示す。
【００３４】
図３（ａ）に示すように、変調方式がＧＭＳＫ（ＢＰＳＫ）では、Ｉ（同相成分）−Ｑ（直交成分）平面の黒点の位置に、データｄｉ＝０，１のシンボル点が割り当てられる。
【００３５】
送信装置側では、通信方式（変調方式）に応じて、上記シンボル点がシンボルごとに所定量位相回転（位相シフト）される。ＧＳＭの場合、シンボルごとにシンボル点が、０からπ/２ずつ増加した量（０、π/２、（π/２）×２、（π/２）×３、…）位相が回転される。
【００３６】
復調装置１００で受信及び入力されるバースト信号は、フォーマット形式が予め決まっており、図４（ａ）に示すようなバースト信号３０のフォーマット形式である。バースト信号３０は、テールビット３１と、データ３２と、トレーニングシーケンス３３と、データ３４と、テールビット３５とを有する。図４（ｂ）に示すように、トレーニングシーケンス３３は、ＧＭＳＫにおいて、Ｉ軸上の値が連続する予め取り決められたパターンである。
【００３７】
次に、復調装置１００の動作を説明する。先ず、復調装置１００において、送信装置から送信されたバースト信号３０が受信され、ＩＦかつデジタルに変換され、そのバースト信号３０がＩ成分、Ｑ成分に分割されて入力される。
【００３８】
入力されるバースト信号３０のＩ成分、Ｑ成分は、それぞれ、２Ｔ遅延部１２ａ，１２ｂにより２Ｔ遅延される。上記で説明したように、送信側で付加されるシンボル回転量は、ＧＳＭ（ＧＭＳＫ）でπ／２である。このため、２Ｔ遅延すると、遅延前に比べてシンボル回転量がＧＭＳＫでπ大きくなる。
【００３９】
そして、乗算器１３ａ，１３ｂ及び加算器１４により、（バースト信号３０のＩ成分）×（バースト信号３０の２Ｔ遅延後のＩ成分）＋（バースト信号３０のＱ成分）×（バースト信号３０の２Ｔ遅延後のＱ成分）が演算される。つまり、バースト信号３０と、２Ｔ遅延後のバースト信号３０との内積値が演算される。この内積値は｜Ａ｜｜Ｂ｜ｃｏｓθとしても表される。但し、｜Ａ｜，｜Ｂ｜が、それぞれ、バースト信号３０、２Ｔ遅延後のバースト信号３０の振幅であり、固定値である。θは、バースト信号３０と２Ｔ遅延後のバースト信号３０との間の角度である。
【００４０】
バースト信号３０のトレーニングシーケンス３３では、ＧＭＳＫでＩ軸上のシンボル点で位相が０又はπしかとらないため、このシンボル点でｃｏｓθ＝±１となる。そこで、絶対値演算部１５により、内積値の絶対値信号が演算される。つまり、ＧＭＳＫで、内積値の絶対値が最大になるタイミングがシンボル点抽出のタイミングとなる。
【００４１】
そして、移動平均値演算部１６により、内積値の絶対値信号の移動平均値信号が演算される。移動平均値をとることにより、内積値の絶対値信号がより正確になる。移動平均値演算部１６では、段数（Ｔ遅延部１６１ｉ及び加算器１６２ｉの組み合わせ）が増えるにつれて内積値の絶対値信号がさらに正確になる。
【００４２】
そして、最大値検出部１７により、バースト信号３０の内積値の絶対値の移動平均値信号の最大値からシンボル点のタイミング信号が検出される。シンボル点抽出部１８ａ，１８ｂでは、最大値検出部１７から入力されるシンボル点のタイミング信号に基づいて、バースト信号３０のＩ成分、Ｑ成分からシンボル点が抽出される。
【００４３】
そして、位相検出部１９により、抽出されたシンボル点の位相が検出される。バースト信号３０の連続するシンボル点の位相差は、ＧＭＳＫで±π／２となる。
【００４４】
位相検出部１９により検出されたシンボル点の位相は、復調部２０により、ＧＭＳＫの変調方式に基づき、送信側で位相シフトされたシンボル回転量（ＧＭＳＫで０，π／２、…）の逆回転を考慮して、変調方式（ＧＭＳＫ）に対応する復調方式で復調される。
【００４５】
復調部２０は、Ｉ−Ｑ平面をＩ軸の正負によって２つの領域に分けるかを判定し、その入力信号の位置に応じた復調信号を出力する。又は、復調部２０により、ＧＭＳＫ（ＢＰＳＫ）に対して、８つの領域のどこに位置するかに応じて復調信号を出力してもよい。この場合、例えば、８つの領域のうち、Ｉ軸が正の領域を１、負の領域を０とすることができる。なお、復調部２０に入力される信号の位相が回転している可能性があるが、この場合、復調部２０は、受信信号の一部に埋め込まれた既知のビットパターンのパターンマッチングで補正する。
【００４６】
復調装置１００では、通信方式がＧＳＭで固定されているので、バースト信号３０の任意の部分（トレーニングシーケンス３３、データ３２，３４等）に対して、シンボル点のタイミング抽出（最大値検出部１７におけるタイミング信号出力）が可能である。
【００４７】
また、復調装置１００において、変調方式がＧＭＳＫのみであるため、ＧＭＳＫ変調が定包絡線特性（Ｉ−Ｑ平面の円周上を移動する）であることと、連続するシンボル間の位相差が±π／２と大きいことと、により、シンボル間干渉を除去するためのイコライズフィルタを省略してもシンボルタイミングの再生が可能である。
【００４８】
ここで、図５を参照して、受信したバースト信号のシンボル点抽出に関する各種信号値の具体例を説明する。図５（ａ）に、復調装置１００における内積値信号を示す。図５（ｂ）に、同じく絶対値信号を示す。図５（ｃ）に、同じく移動平均値信号を示す。図５（ａ）〜（ｃ）の横軸は、シンボル時間Ｔで正規化した時間（Ｔ＝１）であり、以下の図でも同様である。
【００４９】
変調方式がＧＭＳＫであるので、加算器１４から出力される、バースト信号と２Ｔ遅延後のバースト信号との内積値信号は、例えば、図５（ａ）に示すようになる。絶対値演算部１５から出力される内積値の絶対値信号は、図５（ｂ）に示すようになる。そして、移動平均値演算部１６から出力される内積値の絶対値の移動平均値信号は、図５（ｃ）に示すように、その最大値が複数並び、それぞれシンボル点抽出のタイミングを表している。
【００５０】
以上、復調装置１００によれば、通信方式がＧＳＭ（変調方式がＧＭＳＫ（ＢＰＳＫ））のバースト信号のシンボルタイミングを容易に再生できる。また、シンボル点を確定させてから復調（復号）の処理を行うことができるため、回路規模を削減できる。
【００５１】
（第１の変形例）
図６及び図７を参照して、上記第１の実施の形態の変形例を説明する。本変形例の復調装置１００Ａは、上記復調装置１００と同様の構成部分を有するので、復調装置１００Ａの各部のうち復調装置１００と同じ部分に同じ符号を付与し、主として復調装置１００と異なる部分を説明する。
【００５２】
先ず、図６を参照して、本実施の形態の装置構成を説明する。図６に、復調装置１００Ａの内部構成を示す。
【００５３】
図６に示すように、復調装置１００Ａは、復調装置１００と同様に、通信方式がＧＳＭ（変調方式がＧＭＳＫ（ＢＰＳＫ））の受信したバースト信号を復調する装置である。
【００５４】
復調装置１００Ａは、第１、第２のイコライズフィルタとしてのイコライズフィルタ１１ａ，１１ｂと、内積値演算部４０と、絶対値演算部１５と、移動平均値演算部１６と、最大値検出部１７と、シンボル点抽出部１８ａ，１８ｂと、位相検出部１９と、復調部２０と、を備えて構成される。内積値演算部４０は、２Ｔ遅延部１２ａ，１２ｂと、乗算器１３ａ，１３ｂと、加算器１４と、を備えて構成される。
【００５５】
イコライズフィルタ１１ａ，１１ｂは、それぞれ、入力されたバースト信号の受信信号のＩ成分、Ｑ成分のシンボル間の干渉を除去して出力する。２Ｔ遅延部１２ａ，１２ｂは、それぞれ、イコライズフィルタ１１ａ，１１ｂから入力された受信信号のＩ成分、Ｑ成分に２Ｔの遅延を与えて出力する。シンボル点抽出部１８ａ，１８ｂは、それぞれ、最大値検出部１７から入力されたシンボル点抽出のタイミング信号に基づいて、イコライズフィルタ１１ａ，１１ｂから入力された受信信号のＩ成分、Ｑ成分のシンボル点を抽出する。
【００５６】
ここで、図７を参照して、受信したバースト信号のシンボル点抽出に関する各種信号値の具体例を説明する。図７（ａ）に、復調装置１００Ａにおける内積値信号を示す。図７（ｂ）に、同じく絶対値信号を示す。図７（ｃ）に、同じく移動平均値信号を示す。
【００５７】
復調装置１００Ａでは、変調方式がＧＭＳＫであり、加算器１４から出力される、バースト信号と２Ｔ遅延後のバースト信号との内積値信号は、例えば、図７（ａ）に示すようになる。絶対値演算部１５から出力される内積値の絶対値信号は、図７（ｂ）に示すようになる。そして、移動平均値演算部１６から出力される内積値の絶対値の移動平均値信号は、図７（ｃ）に示すように、その最大値が複数並び、それぞれシンボル点抽出のタイミングを表している。
【００５８】
以上、復調装置１００Ａによれば、通信方式がＧＳＭ（変調方式がＧＭＳＫ（ＢＰＳＫ））のバースト信号のシンボル間干渉を除去でき、そのバースト信号のシンボルタイミングを容易に再生できる。また、シンボル点を確定させてから復調（復号）の処理を行うことができるため、回路規模を削減できる。
【００５９】
（第２の実施の形態）
図８〜図１０を参照して、本発明に係る第２の実施の形態を説明する。本実施の形態の復調装置２００は、上記復調装置１００，１００Ａと同様の構成部分を有するので、復調装置２００の各部のうち復調装置１００，１００Ａと同じ部分に同じ符号を付与し、主として復調装置１００，１００Ａと異なる部分を説明する。
【００６０】
まず、図８を参照して、本実施の形態の装置構成を説明する。図８に、本実施の形態の復調装置２００の内部構成を示す。
【００６１】
本実施の形態の復調装置２００は、通信方式がＧＳＭ又はＥＤＧＥの信号を受信して復調する装置である。ＧＳＭの変調方式がＧＭＳＫ（ＢＰＳＫ）であり、ＥＤＧＥの変調方式が８ＰＳＫである。
【００６２】
図８に示すように、復調装置２００は、イコライズフィルタ１１ａ，１１ｂと、内積値演算部５０と、絶対値演算部１５と、移動平均値演算部１６と、最大値検出部１７Ａと、シンボル点抽出部１８ａ，１８ｂと、位相検出部１９と、変調方式判定部２１と、シンボル逆回転部２２と、復調部２３と、を備えて構成される。内積値演算部５０は、第１、第２の遅延部としての８Ｔ遅延部２４ａ，２４ｂと、乗算器１３ａ，１３ｂと、加算器１４と、を備えて構成される。
【００６３】
図２に示すように、移動平均値演算部１６は、Ｔ遅延部１６１１〜１６１ｎ（ｎ：１以上の整数）と、加算器１６２１〜１６２ｎと、を備えて構成される。
【００６４】
図示しない送信装置により、ＢＰＳＫ又は８ＰＳＫの変調方式で変調されたデータを含むＧＳＭ方式又はＥＤＧＥ方式のバースト信号が送信され、復調装置２００は、送信されたバースト信号を受信する。具体的には、送信されたバースト信号が復調装置２００の図示しないアンテナにより受信され、その受信信号が図示しないチューナによりＩＦに変換される。そして、ＩＦ変換された受信信号が図示しないＡ／Ｄコンバータによりデジタル信号に変換され、そのデジタル信号が図示しないＩ−Ｑ信号分割部によりＩ成分とＱ成分とに分割される。
【００６５】
内積値演算部５０は、バースト信号の受信信号と、８Ｔ遅延後のバースト信号の受信信号と、の内積値を演算する。８Ｔは、シンボル時間Ｔの８倍の時間である。
【００６６】
８Ｔ遅延部２４ａ，２４ｂは、それぞれ、イコライズフィルタ１１ａ，１１ｂから入力された受信信号のＩ成分、Ｑ成分に８Ｔの遅延を与えて出力する。乗算器１３ａ，１３ｂは、それぞれ、イコライズフィルタ１１ａ，１１ｂから入力された受信信号のＩ成分、Ｑ成分と、８Ｔ遅延部２４ａ，２４ｂから入力された８Ｔ遅延後の受信信号のＩ成分、Ｑ成分と、を乗算し、その乗算値信号を出力する。
【００６７】
最大値検出部１７Ａは、移動平均値演算部１６から入力された移動平均値信号のうちバースト信号中のトレーニングシーケンスに対応する部分の最大値のタイミングを取得し、シンボル点抽出のタイミング信号として出力する。
【００６８】
位相検出部１９は、シンボル点抽出部１８ａ，１８ｂから入力されるシンボル点の位相を検出して出力する。変調方式判定部２１は、位相検出部１９から入力されるシンボル点の位相に基づいて、変調方式（ＧＭＳＫ（ＢＰＳＫ）又は８ＰＳＫ）を判定し、変調方式を示す変調方式信号を出力する。
【００６９】
シンボル逆回転部２２は、位相検出部１９から入力される受信信号のシンボル点の位相を、変調方式判定部２１から入力される変調方式信号の変調方式に対応する量を逆回転する。復調部２３は、変調方式判定部２１から入力される変調方式信号の変調方式に基づいて、シンボル逆回転部２２から入力される逆回転後のシンボル点の信号を復調（復号）してデータ信号を取得する。
【００７０】
次いで、図３（ｂ）及び図４（ｃ）を参照して８ＰＳＫのバースト信号を説明する。ＧＭＳＫ（ＢＰＳＫ）のバースト信号については、図３（ａ）及び図４（ａ），（ｂ）に基づいて上記説明したとおりである。図３（ｂ）に、８ＰＳＫ方式のコンスタレーションを示す。図４（ｃ）に、８ＰＳＫ方式のトレーニングシーケンスのパターンを示す。
【００７１】
図３（ｂ）に示すように、変調方式が８ＰＳＫでは、Ｉ−Ｑ平面の黒点の位置に、Ｉ軸上のデータ（ｄ３ｉ，ｄ３ｉ＋１，ｄ３ｉ＋２）＝（１，１，１），（０，１，１），（０，１，０），（０，０，０），（０，０，１），（１，０，１），（１，０，０），（１，１，０），（１，１，１）のシンボル点が割り当てられる。各シンボル点は、信号（シンボル）の開始点の位相を示す。
【００７２】
送信装置側では、通信方式に応じて、上記シンボル点がシンボルごとに所定量位相回転（位相シフト）される-。ＧＳＭの場合、シンボルごとにシンボル点が、０からπ/２ずつ増加した量（０、π/２、（π/２）×２、（π/２）×３、…）位相が回転される。ＥＤＧＥの場合、データごとにシンボル点が、０から３π/８ずつ増加した量（０、３π/８、（３π/８）×２、（３π/８）×３、…）位相が回転される。
【００７３】
復調装置２００で受信及び入力されるバースト信号は、フォーマット形式が予め決まっており、図４（ａ）に示すようなバースト信号３０のフォーマット形式である。図４（ｂ），（ｃ）に示すように、トレーニングシーケンス３３は、ＧＭＳＫ，８ＰＳＫにおいて、Ｉ軸上の値が連続する予め取り決められたパターンである。
【００７４】
次に、復調装置２００の動作を説明する。先ず、復調装置２００において、送信装置から送信されたバースト信号３０が受信され、ＩＦかつデジタルに変換され、そのバースト信号３０がＩ成分、Ｑ成分に分割されて、それぞれ、イコライズフィルタ１１ａ，１１ｂに入力される。そして、バースト信号３０のＩ成分、Ｑ成分は、イコライズフィルタ１１ａ，１１ｂによりシンボル間干渉が除去される。
【００７５】
イコライズフィルタ１１ａ，１１ｂから出力されるバースト信号３０のＩ成分、Ｑ成分は、それぞれ、８Ｔ遅延部２４ａ，２４ｂにより８Ｔ遅延される。上記で説明したように、送信側で付加されるシンボル回転量は、ＧＳＭ（ＧＭＳＫ）でπ／２であり、ＥＤＧＥ（８ＰＳＫ）で３π／８である。このため、８Ｔ遅延すると、遅延前に比べてシンボル回転量がＧＭＳＫで４π大きくなり、８ＰＳＫで３π大きくなる。
【００７６】
そして、乗算器１３ａ，１３ｂ及び加算器１４により、（バースト信号３０のＩ成分）×（バースト信号３０の８Ｔ遅延後のＩ成分）＋（バースト信号３０のＱ成分）×（バースト信号３０の８Ｔ遅延後のＱ成分）が演算される。つまり、バースト信号３０と、８Ｔ遅延後のバースト信号３０との内積値が演算される。この内積値は｜Ａ｜｜Ｂ｜ｃｏｓθとしても表される。但し、｜Ａ｜，｜Ｂ｜が、それぞれ、バースト信号３０、８Ｔ遅延後のバースト信号３０の振幅であり、固定値である。θは、バースト信号３０と８Ｔ遅延後のバースト信号３０との間の角度である。
【００７７】
バースト信号３０のトレーニングシーケンス３３では、ＧＭＳＫ，８ＰＳＫともにＩ軸上のシンボル点で位相が０又はπしかとらないため、このシンボル点でｃｏｓθ＝±１となる。そこで、絶対値演算部１５により、内積値の絶対値信号が演算される。つまり、ＧＭＳＫ，８ＰＳＫともに、内積値の絶対値が最大になるタイミングがシンボル点抽出のタイミングとなる。
【００７８】
そして、移動平均値演算部１６により、内積値の絶対値信号の移動平均値信号が演算される。移動平均値をとることにより、内積値の絶対値信号がより正確になる。移動平均値演算部１６では、段数（Ｔ遅延部１６１ｉ及び加算器１６２ｉの組み合わせ）が増えるにつれて内積値の絶対値信号がさらに正確になる。
【００７９】
そして、最大値検出部１７Ａにより、バースト信号３０のトレーニングシーケンス３３に対応する部分の内積値の絶対値の移動平均値信号の最大値からシンボル点のタイミング信号が検出される。シンボル点抽出部１８ａ，１８ｂでは、最大値検出部１７Ａから入力されるシンボル点のタイミング信号に基づいて、バースト信号３０のＩ成分、Ｑ成分からシンボル点が抽出される。
【００８０】
そして、位相検出部１９により、抽出されたシンボル点の位相が検出される。トレーニングシーケンス３３の連続するシンボル点の位相差は、ＧＭＳＫなら±π／２となり、８ＰＳＫなら±πｋ／４＋π／８（ｋ：整数）となる。変調方式判定部２１では、位相検出部１９で検出された連続するシンボル点の位相差に基づいて、変調方式がＧＭＳＫ又は８ＰＳＫと判定される。
【００８１】
位相検出部１９により検出されたシンボル点の位相は、シンボル逆回転部２２により、変調方式判定部２１で判定された変調方式に基づき、送信側で位相シフトされたシンボル回転量（ＧＭＳＫで０，π／２、…、８ＰＳＫで０，３π／８，…）逆回転される。
【００８２】
逆回転されたシンボル点は、復調部２３により、変調方式判定部２１で判定された変調方式（ＧＭＳＫ又は８ＰＳＫ）に対応する復調方式で復調される。復調部２３は、Ｉ−Ｑ平面をＩ軸の正負によって２つの領域に分けるか、又は原点を中心としてπ/４ずつ８つの領域に分け、その領域のどこに入力信号が位置するかを判定し、その入力信号の位置に応じた復調信号を出力する。又は、ＧＭＳＫ（ＢＰＳＫ）、８ＰＳＫの双方に対して、８つの領域のどこに位置するかに応じて復調信号を出力してもよい。この場合、ＢＰＳＫであれば、例えば、８つの領域のうち、Ｉ軸が正の領域を１、負の領域を０とすることができる。よって、ＢＰＳＫ、８ＰＳＫの何れに対応する復調方式であっても、同一の回路を使用することが可能である。なお、復調部２３に入力される信号の位相が回転している可能性があるが、この場合、復調部２３は、受信信号の一部に埋め込まれた既知のビットパターンのパターンマッチングで補正する。
【００８３】
復調装置２００では、バースト信号３０のうちトレーニングシーケンス３３からシンボル点抽出のタイミングを取得し、この取得したタイミングに同期してテールビット３１，３５、データ３２，３４のシンボル点も抽出する。より具体的には、復調装置２００が、シンボル点抽出部１８ａ，１８ｂの前段に図示しないメモリを備え、バースト信号３０のトレーニングシーケンス３３のシンボル点抽出（最大値検出部１７Ａのタイミング信号出力）が終わるまで、受信したバースト信号３０がメモリに順次記憶される。最大値検出部１７Ａからタイミング信号が出力されると、シンボル点抽出部１８ａ，１８ｂにより、このタイミング信号に同期して、メモリに記憶されたバースト信号のシンボル点が抽出される。タイミング信号が出力された後に受信する残りのバースト信号は、メモリに記憶せずにシンボル点抽出してもよい。
【００８４】
また、バースト信号が連続して受信される場合には、受信したバースト信号のシンボル点を抽出し、この抽出したタイミング信号に同期して、次、次以降のバースト信号のシンボル点も抽出することとしてもよい。
【００８５】
ここで、図９及び図１０を参照して、受信したバースト信号のシンボル点抽出に関する各種信号値の具体例を説明する。図９（ａ）に、復調装置２００における変調方式がＧＭＳＫである場合の内積値信号を示す。図９（ｂ）に、同じく変調方式がＧＭＳＫである場合の絶対値信号を示す。図９（ｃ）に、同じく変調方式がＧＭＳＫである場合の移動平均値信号を示す。図１０（ａ）に、復調装置２００における変調方式が８ＰＳＫである場合の内積値信号を示す。図１０（ｂ）に、同じく変調方式が８ＰＳＫである場合の絶対値信号を示す。図１０（ｃ）に、同じく変調方式が８ＰＳＫである場合の移動平均値信号を示す。
【００８６】
変調方式がＧＭＳＫである場合を考える。ＧＭＳＫの場合、加算器１４から出力される、バースト信号と８Ｔ遅延後のバースト信号との内積値信号は、例えば、図９（ａ）に示すようになる。絶対値演算部１５から出力される内積値の絶対値信号は、図９（ｂ）に示すようになる。そして、移動平均値演算部１６から出力される内積値の絶対値の移動平均値信号は、図９（ｃ）に示すように、その最大値が複数並び、それぞれシンボル点抽出のタイミングを表している。
【００８７】
次いで、変調方式が８ＰＳＫである場合を考える。８ＰＳＫの場合、加算器１４から出力される、バースト信号と８Ｔ遅延後のバースト信号との内積値信号は、例えば、図１０（ａ）に示すようになる。絶対値演算部１５から出力される内積値の絶対値信号は、図１０（ｂ）に示すようになる。そして、移動平均値演算部１６から出力される内積値の絶対値の移動平均値信号は、図１０（ｃ）に示すように、その最大値が複数並び、それぞれシンボル点抽出のタイミングを表している。
【００８８】
以上、本実施の形態によれば、復調装置２００により、通信方式がＧＳＭ（変調方式がＧＭＳＫ（ＢＰＳＫ））、ＥＤＧＥ（変調方式が８ＰＳＫ）のバースト信号のどちらが入力されても、シンボルタイミングを同一の構成で容易に再生することができる。また、シンボル点を確定させてから復調（復号）の処理を行うことができるため、回路規模を削減できる。
【００８９】
また、移動平均値演算部１６により、内積値の絶対値の移動平均値を演算するので、シンボル点抽出のタイミング再生をより正確に行うことができる。
【００９０】
また、移動平均値演算部１６を、Ｔ遅延部１６１１〜１６１ｎ及び加算器１６２１〜１６２ｎにより、簡単に構成できる。
【００９１】
（第２の変形例）
図１１を参照して、上記第２の実施の形態の変形例としての第２の変形例を説明する。本変形例の復調装置２００Ａは、上記復調装置２００と同様の構成部分を有するので、復調装置２００Ａの各部のうち復調装置２００と同じ部分に同じ符号を付与し、主として復調装置２００と異なる部分を説明する。
【００９２】
本変形例の復調装置２００Ａを説明する。図１１に、本変形例の復調装置２００Ａの内部構成を示す。
【００９３】
図１１に示すように、復調装置２００Ａは、イコライズフィルタ１１ａ，１１ｂと、内積値演算部５０と、絶対値演算部１５と、移動平均値演算部１６と、最大値検出部１７Ａと、シンボル点抽出部１８ａ，１８ｂと、位相検出部１９と、変調方式判定部２１と、復調部２５と、を備えて構成される。
【００９４】
復調装置２００Ａでは、シンボル逆回転部２２を備えず、復調部２３に代えて復調部２５を備える。復調部２５は、変調方式判定部２１から入力される変調方式信号の変調方式に基づいて、位相検出部１９から入力されるシンボル点を、位相回転分を考慮して復調（復号）してデータ信号を取得する。
【００９５】
復調装置２００Ａにおいて、位相検出部１９での位相検出の分解能が十分であれば、シンボル逆回転を省略しても、復調部２５による復調時に位相回転分を考慮して復調することで、復調装置２００と同様に復調が行える。
【００９６】
以上、本変形例によれば、復調装置２００Ａにおいて、上記実施の形態の効果を奏するとともに、復調部２５によりシンボル点の位相回転分を考慮して復調でき、装置構成をより簡単にできる。
【００９７】
なお、上記各実施の形態及び各変形例における記述は、本発明に係る復調装置の一例であり、これに限定されるものではない。
【００９８】
例えば、上記各実施の形態及び各変形例では、ＧＳＭ及びＥＤＧＥ、或いはＧＳＭのみについての受信信号の復調が可能な復調装置を示したが、これに限定されるものではない。即ち、シンボル点抽出のタイミングの再生が必要な他の通信方式（変調方式）にも適用可能である。この場合、内積値を得るためにバースト信号のＩ成分及びＱ成分の信号を遅延する遅延時間は、複数又は単数の通信方式のシンボル回転量に乗するとπの整数倍となる値をシンボル時間Ｔに乗じた遅延時間となる。
【００９９】
また、上記各実施の形態及び各変形例では、移動平均値演算部１６を備える構成としたが、これに限定されるものではない。移動平均値演算部としては、演算の範囲を継続的に移動させながらシンボル時間離れた絶対値を使用して平均演算を行う構成であればよく、例えば、Ｔ遅延部１６１１〜１６１ｎを加算器１６２１〜１６２ｎ側に設ける構成としてもよく、またＣＩＣ（Cascaded Integrate Comb）フィルタで実現する構成としてもよい。
【０１００】
また、上記復調装置１００，１００Ａでは、変調方式がＧＭＳＫの信号のシンボルタイミングを再生する構成としたが、これに限定されるものではなく、他の変調方式の信号のシンボルタイミングを再生する構成としてもよい。例えば、復調装置１００，１００Ａにおいて、２Ｔ遅延部１２ａ，１２ｂを８Ｔ遅延部に変更し、変調方式が８ＰＳＫの信号のシンボルタイミングを再生する構成としてもよい。
【０１０１】
その他、上記各実施の形態及び各変形例における復調装置の細部構成及び詳細動作に関しても、本発明の趣旨を逸脱しない範囲で適宜変更可能である。
【図面の簡単な説明】
【０１０２】
【図１】本発明に係る第１の実施の形態の復調装置１００の内部構成を示すブロック図である。
【図２】移動平均値演算部１６の内部構成を示すブロック図である。
【図３】（ａ）は、ＢＰＳＫ方式のコンスタレーションを示す図である。（ｂ）は、８ＰＳＫ方式のコンスタレーションを示す図である。
【図４】（ａ）は、バースト信号３０のフォーマット形式の構成を示す図である。（ｂ）は、ＢＰＳＫ方式のトレーニングシーケンスのパターンを示す図である。（ｃ）は、８ＰＳＫ方式のトレーニングシーケンスのパターンを示す図である。
【図５】（ａ）は、復調装置１００における内積値信号を示す図である。（ｂ）は、同じく絶対値信号を示す図である。（ｃ）は、同じく移動平均値信号を示す図である。
【図６】第１の変形例の復調装置１００Ａの内部構成を示すブロック図である。
【図７】（ａ）は、復調装置１００Ａにおける内積値信号を示す図である。（ｂ）は、同じく絶対値信号を示す図である。（ｃ）は、同じく移動平均値信号を示す図である。
【図８】本発明に係る第２の実施の形態の復調装置２００の内部構成を示すブロック図である。
【図９】（ａ）は、復調装置２００における変調方式がＧＭＳＫである場合の内積値信号を示す図である。（ｂ）は、同じく変調方式がＧＭＳＫである場合の絶対値信号を示す図である。（ｃ）は、同じく変調方式がＧＭＳＫである場合の移動平均値信号を示す図である。
【図１０】（ａ）は、復調装置２００における変調方式が８ＰＳＫである場合の内積値信号を示す図である。（ｂ）は、同じく変調方式が８ＰＳＫである場合の絶対値信号を示す図である。（ｃ）は、同じく変調方式が８ＰＳＫである場合の移動平均値信号を示す図である。
【図１１】第２の変形例の復調装置２００Ａの内部構成を示すブロック図である。
【符号の説明】
【０１０３】
１００，１００Ａ，２００，２００Ａ  復調装置
１１ａ，１１ｂ  イコライズフィルタ
４０，５０  内積値演算部
１２ａ，１２ｂ  ２Ｔ遅延部
１３ａ，１３ｂ  乗算器
１４  加算器
１５  絶対値演算部
１６  移動平均値演算部
１６１１〜１６１ｎ  Ｔ遅延部
１６２１〜１６２ｎ  加算器
１７，１７Ａ  最大値検出部
１８ａ，１８ｂ  シンボル点抽出部
１９  位相検出部
２０，２３，２５  復調部
２１  変調方式判定部
２２  シンボル逆回転部
２４ａ，２４ｂ  ８Ｔ遅延部
【図１】
2008219727.tif 000003
【図２】
2008219727.tif 000004
【図３】
2008219727.tif 000005
【図４】
2008219727.tif 000006
【図５】
2008219727.tif 000007
【図６】
2008219727.tif 000008
【図７】
2008219727.tif 000009
【図８】
2008219727.tif 000010
【図９】
2008219727.tif 000011
【図１０】
2008219727.tif 000012
【図１１】
2008219727.tif 000013